(57)【要約】【課題】既存の宝石箱に対して、取り外し可能に取り付けて、容易に収納した宝石を照らして輝かせることができる宝石箱用照明具を提供すること。【解決手段】宝石箱用照明具１０は、箱本体２にヒンジ結合されて上開きで開く上蓋６に取り付けて、箱本体２の上面側に収納した宝石Ｐを照らす。照明具１０は、ランプユニット１１と、ランプユニット１１を収納したケース１８と、取り外し可能にケース１８を上蓋６に取り付け可能な取付具１９と、を備える。ランプユニット１１は、電力供給時に発光するＬＥＤ１２、電池１３、及び、オン操作時に電池１３の電力を供給してＬＥＤ１２を発光させるスイッチ１４、を備える。取付具１９は、ケース１８から延びるように配設され、上蓋６を開いた際にスイッチ１４をオン操作させるように配置可能で、かつ、宝石Ｐを照らす位置に発光時のＬＥＤ１２を配置可能に、宝石箱１の上蓋６にケース１８を取り付ける。【選択図】図２
0003170485.tif 000002
【実用新案登録請求の範囲】
【請求項１】
箱本体にヒンジ結合されて上開きで開く上蓋に取り付けて、箱本体の上面側に収納した宝石を照らす宝石箱用照明具であって、
少なくとも、電力供給時に発光するＬＥＤ、電池、及び、オン操作時に前記電池の電力を供給して前記ＬＥＤを発光させるスイッチ、を具備してなるランプユニットと、
該ランプユニットを収納したケースと、
該ケースから延びるように配設され、前記上蓋を開いた際に前記スイッチをオン操作させるように配置可能で、かつ、前記宝石を照らす位置に発光時の前記ＬＥＤを配置可能として、前記ケースを前記上蓋に取り付け可能でかつ前記上蓋から取り外し可能とする取付具と、
を備えて構成されていることを特徴とする宝石箱用照明具。
【請求項２】
前記取付具が、
前記上蓋の表側に表われる加飾用の表示板部と、
前記上蓋の裏側で前記ケースを保持する取付ベースと、
前記表示板部と前記取付ベース部とを連結する連結部と、
を備えて、
前記上蓋の周縁を挟むようにして、前記ケースを前記上蓋に取付可能なクリップとして、構成されていることを特徴とする請求項１に記載の宝石箱用照明具。
【請求項３】
前記ランプユニットが、前記スイッチのオン操作から遅れて前記ＬＥＤを発光させるオンディレイ回路、を設けて構成されていることを特徴とする請求項１若しくは請求項２に記載の宝石箱用照明具。
【考案の詳細な説明】
【技術分野】
【０００１】
本考案は、宝石箱の上蓋に取り付けて、上蓋を開いた際に宝石箱に収納しておいた宝石を照らして輝かせる宝石箱用照明具に関する。
【背景技術】
【０００２】
従来、宝石箱では、宝石箱の上蓋にＬＥＤを配設させ、上蓋を開いた際にＬＥＤを発光させて宝石箱に収納しておいた宝石を照らして輝かせるものがあった（例えば、特許文献１，２参照）。
【先行技術文献】
【特許文献】
【０００３】
【特許文献１】実用新案登録第３１１１６０８号公報
【特許文献２】特開２００９−２７９２７８号公報
【考案の概要】
【考案が解決しようとする課題】
【０００４】
しかし、従来の宝石箱では、予め、ＬＥＤ、電池、スイッチ等からなるランプユニットが、取り外し不能に内蔵されているものであった。そのため、自分の好みの宝石箱に宝石を収納して、プレゼントする際に対応できなかった。また、宝石店側では、同じ宝石箱であっても、宝石を照らす場合と照らさない場合とで、二種類準備する必要が生じてしまう。
【０００５】
本考案は、上述の課題を解決するものであり、既存の宝石箱に対して、取り外し可能に取り付けて、容易に収納した宝石を照らして輝かせることができる宝石箱用照明具を提供することを目的とする。
【課題を解決するための手段】
【０００６】
本考案に係る宝石箱用照明具は、箱本体にヒンジ結合されて上開きで開く上蓋に取り付けて、箱本体の上面側に収納した宝石を照らす宝石箱用照明具であって、
少なくとも、電力供給時に発光するＬＥＤ、電池、及び、オン操作時に前記電池の電力を供給して前記ＬＥＤを発光させるスイッチ、を具備してなるランプユニットと、
該ランプユニットを収納したケースと、
該ケースから延びるように配設され、前記上蓋を開いた際に前記スイッチをオン操作させるように配置可能で、かつ、前記宝石を照らす位置に発光時の前記ＬＥＤを配置可能として、前記ケースを前記上蓋に取り付け可能でかつ前記上蓋から取り外し可能とする取付具と、
を備えて構成されていることを特徴とする。
【０００７】
本考案に係る宝石箱用照明具は、取付具により、ケースを好みの宝石箱の上蓋に取り付けて使用する。そして、宝石箱の上蓋を開ければ、スイッチがオン操作されて、ＬＥＤが箱本体の上面側に収納させていた宝石を照らすこととなる。
【０００８】
また、取付具を操作すれば、宝石箱用照明具を宝石箱の上蓋から取り外すことができて、新たな宝石箱に取り付けることも可能となる。
【０００９】
したがって、本考案に係る宝石箱用照明具では、既存の宝石箱に対して、取り外し可能に取り付けて、容易に収納した宝石を照らして輝かせることができる。
【００１０】
なお、本考案に係る宝石箱用照明具では、取付具が対応していれば、宝石箱に近似した時計ケース等の貴重品用の収納箱の上蓋に取り付けて、それらの貴重品を輝かせるように使用することができる。
【００１１】
ちなみに、取付具としては、スイッチのオン操作と発光時のＬＥＤの照射位置を安定させてケースを上蓋に取り付けることができ、かつ、上蓋からケースを取り外すことができればよく、画鋲のようなピン、ねじ、あるいは、上蓋の周壁部を挟んで、ケースを上蓋に取り付けるクリップ等が例示できる。
【００１２】
そして、本考案に係る宝石箱用照明具では、前記取付具は、
前記上蓋の表側に表われる加飾用の表示板部と、
前記上蓋の裏側で前記ケースを保持する取付ベースと、
前記表示板部と前記取付ベース部とを連結する連結部と、
を備えて、
前記上蓋の周縁を挟むようにして、前記ケースを前記上蓋に取付可能なクリップとして、構成することが望ましい。
【００１３】
このような構成では、取付具のクリップが、上蓋の外表面に表われる加飾用の表示板部、を備えて構成されている。そのため、表示板部に、宝石店等のメーカー名を表示すれば、本考案に係る宝石箱用照明具を、宝石店等の宣伝用や証明用等に使用できる。あるいは、表示板部に宝石を贈る相手の名、イニシャル、あるいは、記念日等のイベントや贈る言葉等を表示することも可能となり、それらの場合には、宝石を照らして輝かせることに加えて、贈られた側を、一層、喜ばせることができる。
【００１４】
そして勿論、取付具がクリップであることから、上蓋の周縁を挟むようにしてクリップを配置させるだけで、簡単に、宝石箱の上蓋に宝石箱用照明具を取り付けることができる。
【００１５】
また、本考案に係る宝石箱用照明具では、前記ランプユニットが、前記スイッチのオン操作から遅れて前記ＬＥＤを発光させるオンディレイ回路、を設けて構成されていてもよい。
【００１６】
このような構成では、宝石箱の上蓋を開けた後に、遅れてＬＥＤが発光する。すなわち、上蓋を完全に開けた後に、宝石が照らされて輝くことができて、贈られた側を、一層、ドラマチックに喜ばせることができる。
【図面の簡単な説明】
【００１７】
【図１】本考案における実施形態の宝石箱用照明具の使用状態を示す斜視図であり、宝石箱を閉じた状態と開いた状態とを示す。
【図２】実施形態の宝石箱用照明具の使用状態を示す縦断面図である。
【図３】実施形態の宝石箱用照明具の斜視図である。
【図４】実施形態の宝石箱用照明具の正面図である。
【図５】実施形態の宝石箱用照明具の背面図である。
【図６】実施形態の宝石箱用照明具に使用するランプユニットの電気回路の一例である。
【考案を実施するための形態】
【００１８】
以下、本考案の一実施形態を図面に基づいて説明すると、図１〜５に示すように、実施形態の宝石箱用照明具１０は、宝石箱１の上蓋６に取り付けられて使用される。
【００１９】
宝石箱１は、ペンダントヘッドや指輪等の宝石Ｐを収納する箱本体２と、箱本体２にヒンジ５を介して連結され、上開きで開く上蓋６とを備えて構成されている。箱本体２は、宝石Ｐを収納する凹部３ａを有した収納部３と、収納部３を囲むように配設される周壁部４とを備えてなる。周壁部４の前上端は、後述するスイッチ１４の操作レバー１４ａを受け止める当接部４ａとしている。また、上蓋６は、天井壁７と、天井壁７の周縁から延びる周壁部８とを備えてなり、周壁部８の前壁８ａの中央付近に宝石箱用照明具１０を取り付けることとなる。
【００２０】
実施形態の宝石箱用照明具１０は、ランプユニット１１と、ランプユニット１１を収納保持するケース１８と、ケース１８を宝石箱１の前壁８ａに取り付ける取付具１９としてのクリップ２０と、を備えて構成されている。
【００２１】
ランプユニット１１は、図６に示すように、電力供給時に発光するＬＥＤ１２、電池１３、オン操作時に電池１３の電力を供給してＬＥＤ１２を発光させるスイッチ１４、及び、抵抗１５、を具備して構成されている。ＬＥＤ１２は、白色光の集光タイプとしており、発光時に、スポットライトのように、宝石Ｐを照らすこととなる。電池１３は、ボタン電池が使用されている。スイッチ１４は、Ｂ接点タイプのマイクロスイッチが使用されており、操作レバー１４ａが、宝石箱１の周壁部４の当接部４ａと当接している時には、オフ操作され、宝石箱１の周壁部４の当接部４ａから離れた際に、オン操作される。
【００２２】
ケース１８は、ランプユニット１１を収納保持し、ＬＥＤ１２のレンズ部１２ａとスイッチ１４の操作レバー１４ａとを露出させている。また、ケース１８は、収納した電池１３を交換可能に所定部位を開閉できるように構成されている。
【００２３】
クリップ２０は、断面Ｕ字形の金属製として、ケース１８から延びるように配設されている。そして、クリップ２０は、ケース１８を取り付けている取付ベース２１と、宝石箱１の周壁部８の前面に露出される長方形板状の表示板部２３と、取付ベース２１と表示板部２３とを連結する連結部２２と、を備えて構成されている。
【００２４】
このクリップ２０は、宝石箱１の周壁部８の前壁８ａを挟むように前壁８ａに嵌めれば、取付ベース２１が保持しているケース１８を前壁８ａの裏面側に配置させることができて、宝石箱用照明具１０を宝石箱１に取り付けることができる。勿論、クリップ２０を前壁８ａから引き下げれば、クリップ２０が宝石箱１から外れ、宝石箱用照明具１０を宝石箱１から取り外すことができる。
【００２５】
そして、このクリップ２０は、前壁８ａに取り付けた状態において、宝石箱１の上蓋６を開いた際にスイッチ１４をオン操作させるように配置でき、かつ、図１，２に示すように、上蓋６を全開位置まで開けた際に、宝石Ｐを照らす位置に発光時のＬＥＤ１２を配置できるように、構成されている。
【００２６】
また、クリップ２０の表示板部２３の表面側には、所定の宝石等を着けてなる加飾２４が施されている。この加飾２４は、図３の括弧書きで図示したように、宝石店等のメーカー名を表示したり、宝石Ｐを贈る相手の名、イニシャル、あるいは、記念日等のイベントや贈る言葉等を表示するように構成してもよい。
【００２７】
実施形態の宝石箱用照明具１０は、使用時、好みの宝石箱１の上蓋６の前壁８ａを挟むようにクリップ２０を配置させれば、ランプユニット１１を収納保持したケース１８を宝石箱１の上蓋６の裏面側に取り付けることができる。なお、この状態で、所定の宝石Ｐを収納部３に収納して上蓋６を閉めれば、スイッチ１４の操作レバー１４ａが箱本体２の当接部４ａに当って、スイッチ１４がオフ操作されることから、ＬＥＤ１２は消灯することとなる。
【００２８】
そして、宝石箱１の上蓋６を開ければ、操作レバー１４ａが当接部４ａから離れてスイッチ１４がオン操作されることから、ＬＥＤ１２が箱本体２の上面側に収納させていた宝石Ｐを照らして輝かせることができる。そのため、宝石箱１を受け取って開けた人は、宝石Ｐ自体の輝きの他、ＬＥＤ１２の発光による輝きが加えられて、趣を持って宝石Ｐを見ることができる。
【００２９】
また、上蓋６からクリップ２０を外せば、宝石箱用照明具１０を宝石箱１の上蓋６から取り外すことができて、新たな宝石箱に取り付けることも可能となる。
【００３０】
したがって、実施形態の宝石箱用照明具１０では、既存の宝石箱１に対して、取り外し可能に取り付けて、容易に収納した宝石Ｐを照らして輝かせることができる。
【００３１】
なお、実施形態の宝石箱用照明具１０では、クリップ２０が対応していれば、宝石箱１に近似した時計ケース等の貴重品用の収納箱の上蓋に取り付けて、それらの貴重品を輝かせるように使用することができる。
【００３２】
また、取付具１９としてのクリップ２０の上蓋６への取付強度を高めるために、周壁部８にねじ止め可能に、クリップ２０の取付ベース２１や連結部２２等に、ねじを挿通させる取付孔を設けたり、あるいは、上蓋６に差し込むピンを設けてもよい。
【００３３】
勿論、取付具１９としては、スイッチ１４のオン操作と発光時のＬＥＤ１２の照射位置を安定させてケース１８を上蓋６に取り付けることができ、かつ、上蓋６からケース１８を取り外すことができればよく、クリップ２０の他に、画鋲のようなピン、ねじ等を利用してもよい。ちなみに、取付具にピンを利用する場合には、例えば、ケース１８から上蓋６の裏面側に差し込み可能に、１本若しくは複数のピンを突設させればよい。また、取付具にねじを利用する場合には、例えば、ケース１８から、１本若しくは複数のねじを挿通可能な所定数の取付孔を設けた取付片を突設させ、取付片を利用して、ケース１８を上蓋６の裏面側にねじ止めすればよい。
【００３４】
そして、実施形態の宝石箱用照明具１０では、クリップ２０が、上蓋６の外表面に表われる加飾用の表示板部２３、を備えて構成されている。そのため、表示板部２３に、宝石店等のメーカー名を表示した加飾２４を施せば、宝石箱用照明具１０を、宝石店等の宣伝用や証明用等に使用できる。あるいは、表示板部２３に宝石Ｐを贈る相手の名、イニシャル、あるいは、記念日等のイベントや贈る言葉等を表示して加飾２４することもでき、それらの場合には、宝石Ｐを照らして輝かせることに加えて、贈られた側を、一層、喜ばせることができる。
【００３５】
また、実施形態の宝石箱用照明具１０のランプユニット１１において、図６の括弧書きで図示したように、スイッチ１４のオン操作から１〜２秒程度遅れてＬＥＤ１２を発光させるオンディレイ回路１６、を設けて構成してもよい。
【００３６】
このような構成では、宝石箱１の上蓋６を開けた後に、１〜２秒程度、遅れてＬＥＤ１２が発光する。そのため、このような宝石箱用照明具１０では、上蓋６を完全に開けた後に、宝石Ｐが照らされて輝くことができて、贈られた側を、一層、ドラマチックに喜ばせることができる。
【００３７】
なお、オンディレイ回路１６は、トランジスタやコンデンサを利用した公知のものであり、コンデンサの容量と抵抗値との積に応じて、スイッチ１４のオン操作からＬＥＤ１２が点灯するまでの時間を遅らせることができ、スイッチ１４のオン操作からタイムラグを生じさせてＬＥＤ１２を点灯させることができる。また、オンディレイ回路１６は、スイッチ１４のオフ操作時には、直ちに、ＬＥＤ１２を消灯させることとなる。そして、スイッチ１４のオン操作からＬＥＤ１２が点灯するまでのディレイ時間は、１〜２秒程度が望ましいが、可変抵抗器を利用して、適宜、調整できるように構成してもよい。
【００３８】
また、ＬＥＤ１２は、点滅させるように、回路を構成してもよい。さらに、ＬＥＤ１２は、白色光の他、青色や緑色等、適宜、発光色を変えたものを使用してもよい。
【符号の説明】
【００３９】
１…宝石箱、
２…箱本体、
５…ヒンジ、
６…上蓋、
８…（上蓋の周縁）周壁部、
１０…宝石箱用照明具、
１１…ランプユニット、
１２…ＬＥＤ、
１３…電池、
１４…スイッチ、
１６…オンディレイ回路、
１８…ケース、
１９…取付具、
２０…クリップ、
２３…表示板部、
Ｐ…宝石。
【図１】
0003170485.tif 000003
【図２】
0003170485.tif 000004
【図３】
0003170485.tif 000005
【図４】
0003170485.tif 000006
【図５】
0003170485.tif 000007
【図６】
0003170485.tif 000008